(57)【特許請求の範囲】
【請求項１】
複数の構成部材に対応して設けられ、対応する前記構成部材のロックを行う複数のロック部を備えた貨幣処理装置であって、
貨幣の識別を行う識別部と、
前記貨幣処理装置の状態を検知する状態検知部と、
前記状態検知部により検知された状態に基づいて、各前記ロック部による前記構成部材のロックのうち何れのロックを解除するかを判定する判定手段と、
前記判定手段による判定結果に基づいて、一または複数の前記ロック部による前記構成部材のロックを解除させるよう各前記ロック部を制御する制御部と、
を備え、
複数の前記ロック部のうち少なくとも一つの前記ロック部は、貨幣の出金処理が行われる際に前記識別部により正常ではないと識別された貨幣を収納する収納庫の扉をロックするようになっており、
貨幣の回収処理が行われる際に前記収納庫に貨幣が存在することが前記状態検知部により検知されたときに、前記判定手段は前記収納庫に設けられた前記扉のロックを解除すると判定する、貨幣処理装置。
【請求項２】
操作者の権限を認証するための認証手段を更に備え、
前記判定手段は、前記状態検知部により検知された状態に加えて、前記認証手段により認証された操作者の権限も参酌して、各前記ロック部による前記構成部材のロックのうち何れのロックを解除するかを判定するようになっている、請求項１記載の貨幣処理装置。
【請求項３】
前記判定手段による判定結果を表示する表示部を更に備えた、請求項１または２記載の貨幣処理装置。
【請求項４】
複数の前記ロック部のうち少なくとも一つの前記ロック部は、貨幣を搬送する搬送部に設けられたガイド部材をロックするようになっており、
前記搬送部において貨幣の搬送異常が発生したことが前記状態検知部により検知されたときに、前記判定手段は前記ロック部による当該搬送部に設けられた前記ガイド部材のロックを解除すると判定する、請求項１乃至３のいずれか一項に記載の貨幣処理装置。
【請求項５】
複数の前記ロック部のうち少なくとも一つの前記ロック部は、筐体の内部に貨幣を投入するための投入部における投入口を開閉するシャッタをロックするようになっており、
前記投入部において前記筐体の内部への貨幣の繰出不良が発生したことが前記状態検知部により検知されたときに、前記判定手段は前記ロック部による当該投入部に設けられた前記シャッタのロックを解除すると判定する、請求項１乃至４のいずれか一項に記載の貨幣処理装置。
【請求項６】
各前記構成部材が設けられた引出ユニットが筐体から引き出し可能となっており、
少なくとも一つの前記ロック部による前記構成部材のロックが解除されているときに、前記筐体から引き出された前記引出ユニットが前記筐体の内部に戻されるのを防止する引出ユニット規制部を更に備えた、請求項１乃至５のいずれか一項に記載の貨幣処理装置。
【請求項７】
複数の構成部材に対応して設けられ、対応する前記構成部材のロックを行う複数のロック部と、貨幣の識別を行う識別部とを備え、複数の前記ロック部のうち少なくとも一つの前記ロック部は、貨幣の出金処理が行われる際に前記識別部により正常ではないと識別された貨幣を収納する収納庫の扉をロックするようになっている貨幣処理装置による貨幣処理方法であって、
前記貨幣処理装置の状態を状態検知部により検知する工程と、
前記状態検知部により検知された状態に基づいて、各前記ロック部による前記構成部材のロックのうち何れのロックを解除するかを判定する工程と、
判定結果に基づいて、一または複数の前記ロック部による前記構成部材のロックを解除させる工程と、
を備え、
貨幣の回収処理が行われる際に前記収納庫に貨幣が存在することが前記状態検知部により検知されたときに、前記収納庫に設けられた前記扉のロックを解除すると判定する、貨幣処理方法。
【発明の詳細な説明】
【技術分野】
【０００１】
本発明は、貨幣の入金処理や出金処理等の様々な処理を行う貨幣処理装置およびこのような貨幣処理装置による貨幣処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。このような貨幣釣銭機として、特許文献１には、機械的物理キーを用いない簡易な構成で、貨幣の盗難等の影響範囲を容易に狭めることができるものが開示されている。より詳細には、特許文献１に開示される貨幣釣銭機では、ＵＳＢ等に記憶された電子識別情報を読み取ることで、権限に応じて貨幣処理ユニットの電磁ロックを解除して筐体から引出ユニットを引き出せるようにしたり、回収カセットの電磁ロックを解除して回収カセットを取り出せたりするようにしている。
【先行技術文献】
【特許文献】
【０００３】
【特許文献１】特開２０１５−１６２１２１号公報
【発明の概要】
【発明が解決しようとする課題】
【０００４】
特許文献１に開示されるような従来の貨幣釣銭機では、貨幣釣銭機の状態に応じて電磁ロックを解除するものではないため、店員等の操作者が貨幣釣銭機の操作に慣れてない場合には、開閉する必要のない箇所を開閉することで違算が生じたり、あるいは開閉しない箇所を無理にこじ開けることで装置が破損したりする等の問題が生じるおそれがあった。
【０００５】
本発明は、このような点を考慮してなされたものであり、操作者が操作すべき構成部材（例えば、異常が発生している構成部材）のロックのみを解除することができるため、操作者が操作に慣れていない場合でも、違算が発生したり各構成部材が破損してしまったりすることを防止することができる貨幣処理装置および貨幣処理方法を提供することを目的とする。
【課題を解決するための手段】
【０００６】
本発明の貨幣処理装置は、複数の構成部材に対応して設けられ、対応する前記構成部材のロックを行う複数のロック部を備えた貨幣処理装置であって、貨幣の識別を行う識別部と、前記貨幣処理装置の状態を検知する状態検知部と、前記状態検知部により検知された状態に基づいて、各前記ロック部による前記構成部材のロックのうち何れのロックを解除するかを判定する判定手段と、前記判定手段による判定結果に基づいて、一または複数の前記ロック部による前記構成部材のロックを解除させるよう各前記ロック部を制御する制御部と、を備え、複数の前記ロック部のうち少なくとも一つの前記ロック部は、貨幣の出金処理が行われる際に前記識別部により正常ではないと識別された貨幣を収納する収納庫の扉をロックするようになっており、貨幣の回収処理が行われる際に前記収納庫に貨幣が存在することが前記状態検知部により検知されたときに、前記判定手段は前記収納庫に設けられた前記扉のロックを解除すると判定することを特徴とする。
【０００７】
このような貨幣処理装置によれば、貨幣処理装置の状態を状態検知部により検知し、状態検知部により検知された状態に基づいて、各ロック部による構成部材のロックのうち何れのロックを解除するかを判定することにより、操作者が操作すべき構成部材（例えば、異常が発生している構成部材）のロックのみを解除することができるため、操作者が操作に慣れていない場合でも、違算が発生したり各構成部材が破損してしまったりすることを防止することができる。
【０００８】
本発明の貨幣処理装置は、操作者の権限を認証するための認証手段を更に備え、前記判定手段は、前記状態検知部により検知された状態に加えて、前記認証手段により認証された操作者の権限も参酌して、各前記ロック部による前記構成部材のロックのうち何れのロックを解除するかを判定するようになっていてもよい。
【０００９】
本発明の貨幣処理装置は、前記判定手段による判定結果を表示する表示部を更に備えていてもよい。
【００１０】
本発明の貨幣処理装置においては、複数の前記ロック部のうち少なくとも一つの前記ロック部は、貨幣を搬送する搬送部に設けられたガイド部材をロックするようになっており、前記搬送部において貨幣の搬送異常が発生したことが前記状態検知部により検知されたときに、前記判定手段は前記ロック部による当該搬送部に設けられた前記ガイド部材のロックを解除すると判定するようになっていてもよい。
【００１１】
本発明の貨幣処理装置においては、複数の前記ロック部のうち少なくとも一つの前記ロック部は、筐体の内部に貨幣を投入するための投入部における投入口を開閉するシャッタをロックするようになっており、前記投入部において前記筐体の内部への貨幣の繰出不良が発生したことが前記状態検知部により検知されたときに、前記判定手段は前記ロック部による当該投入部に設けられた前記シャッタのロックを解除すると判定するようになっていてもよい。
【００１４】
本発明の貨幣処理装置においては、各前記構成部材が設けられた引出ユニットが筐体から引き出し可能となっており、当該貨幣処理装置が、少なくとも一つの前記ロック部による前記構成部材のロックが解除されているときに、前記筐体から引き出された前記引出ユニットが前記筐体の内部に戻されるのを防止する引出ユニット規制部を更に備えていてもよい。
【００１５】
本発明の貨幣処理方法は、複数の構成部材に対応して設けられ、対応する前記構成部材のロックを行う複数のロック部と、貨幣の識別を行う識別部とを備え、複数の前記ロック部のうち少なくとも一つの前記ロック部は、貨幣の出金処理が行われる際に前記識別部により正常ではないと識別された貨幣を収納する収納庫の扉をロックするようになっている貨幣処理装置による貨幣処理方法であって、前記貨幣処理装置の状態を状態検知部により検知する工程と、前記状態検知部により検知された状態に基づいて、各前記ロック部による前記構成部材のロックのうち何れのロックを解除するかを判定する工程と、判定結果に基づいて、一または複数の前記ロック部による前記構成部材のロックを解除させる工程と、を備え、貨幣の回収処理が行われる際に前記収納庫に貨幣が存在することが前記状態検知部により検知されたときに、前記収納庫に設けられた前記扉のロックを解除すると判定することを特徴とする。
【００１６】
このような貨幣処理方法によれば、貨幣処理装置の状態を状態検知部により検知し、状態検知部により検知された状態に基づいて、各ロック部による構成部材のロックのうち何れのロックを解除するかを判定することにより、操作者が操作すべき構成部材（例えば、異常が発生している構成部材）のロックのみを解除することができるため、操作者が操作に慣れていない場合でも、違算が発生したり各構成部材が破損してしまったりすることを防止することができる。
【発明の効果】
【００１７】
本発明の貨幣処理装置および貨幣処理方法によれば、操作者が操作すべき構成部材（例えば、異常が発生している構成部材）のロックのみを解除することができるため、操作者が操作に慣れていない場合でも、違算が発生したり各構成部材が破損してしまったりすることを防止することができる。
【図面の簡単な説明】
【００１８】
【図１】本発明の実施の形態による紙幣釣銭機を備えた貨幣管理システムの構成を示す斜視図である。
【図２】図１に示す紙幣釣銭機の構成を示す斜視図である。
【図３】図２に示す紙幣釣銭機の内部を側方から見たときの構成を概略的に示す概略構成図である。
【図４】図１に示す貨幣管理システムの制御系の構成を示す機能ブロック図である。
【発明を実施するための形態】
【００１９】
以下、図面を参照して本発明の実施の形態について説明する。図１乃至図４は、本実施の形態による紙幣釣銭機やこのような紙幣釣銭機を備えた貨幣管理システムを示す図である。このうち、図１は、本実施の形態による紙幣釣銭機を備えた貨幣管理システムの構成を示す斜視図である。また、図２は、図１に示す紙幣釣銭機の構成を示す斜視図であり、図３は、図２に示す紙幣釣銭機の内部を側方から見たときの構成を概略的に示す概略構成図である。また、図４は、図１に示す貨幣管理システムの制御系の構成を示す機能ブロック図である。
【００２０】
まず、本実施の形態による紙幣釣銭機１０を備えた貨幣管理システムの構成について図１を用いて説明する。図１に示すように、本実施の形態による貨幣管理システムは、上下に並べて配置された硬貨釣銭機７０および棒金収納装置８０と、これらの硬貨釣銭機７０や棒金収納装置８０の隣に並べて配置された紙幣釣銭機１０と、硬貨釣銭機７０や紙幣釣銭機１０の上方に設けられたＰＯＳレジスタ７２とを備えている。硬貨釣銭機７０および紙幣釣銭機１０は、それぞれ硬貨や紙幣の入出金処理を行うようになっている。これらの硬貨釣銭機７０および紙幣釣銭機１０により貨幣釣銭機が構成されている。また、棒金収納装置８０は、各金種の棒金硬貨（同一金種の硬貨を一定枚数だけ棒状にまとめてフィルムや包装紙等により包装したもの）を取り出し可能に収納するようになっている。また、ＰＯＳレジスタ７２は、硬貨釣銭機７０、紙幣釣銭機１０および棒金収納装置８０の管理を行う管理装置として用いられるようになっている。
【００２１】
次に、紙幣釣銭機１０の構成の詳細について説明する。図２に示すように、本実施の形態による紙幣釣銭機１０は、その前面に開口が設けられた略直方体形状の筐体１２と、筐体１２の内部から手前側に引き出し可能となっている引出ユニット１４とを備えている。具体的には、引出ユニット１４の下部には左右一対の引出レール１６が設けられており、各引出レール１６に沿って引出ユニット１４を筐体１２の内部から手前側に引き出すことができるようになっている。なお、図２では引出ユニット１４が筐体１２の内部から引き出されたときの状態が示されているが、紙幣釣銭機１０が実際に使用される際には引出ユニット１４は筐体１２の内部に収容された状態で紙幣の入出金処理等の様々な処理が行われるようになっている。また、本実施の形態では、引出ユニット１４を筐体１２の内部に電磁ロック等によりロックするロック部５０（図４）が設けられている。ここで、ロック部５０により引出ユニット１４が筐体１２の内部にロックされている状態では、操作者は引出ユニット１４を筐体１２の内部から手前側に引き出すことができないようになっている。一方、ロック部５０による筐体１２のロックが解除されると、操作者は引出ユニット１４を筐体１２の内部から手前側に引き出すことができるようになる。
【００２２】
図３に示すように、引出ユニット１４には紙幣を１枚ずつ搬送する搬送部３０が設けられている。搬送部３０は引出ユニット１４の中央位置に配置された周回搬送部３０ａおよび複数の接続搬送部３０ｂから構成されている。また、紙幣受入部２０、紙幣払出部２２、出金リジェクト部２４、カセット装着部２６および３つの紙幣収納部３４、３６、３８が、それぞれ、周回搬送部３０ａを外側から取り囲むように配置されている。また、図３に示すように、複数の接続搬送部３０ｂの各々により、紙幣受入部２０、紙幣払出部２２、出金リジェクト部２４、カセット装着部２６および各紙幣収納部３４、３６、３８と、周回搬送部３０ａとの間をそれぞれ接続するようになっている。また、周回搬送部３０ａには識別部３２が設けられており、この識別部３２は、周回搬送部３０ａにより搬送される紙幣の金種、真偽、正損、新旧、表裏、搬送状態等の識別を行うようになっている。
【００２３】
周回搬送部３０ａは、図３における時計回りの方向および反時計回りの方向の両方向に紙幣を１枚ずつ搬送することができるようになっている。また、搬送部３０において、周回搬送部３０ａと各接続搬送部３０ｂとの間で紙幣の搬送経路を切り換える経路切換部（図示せず）が、周回搬送部３０ａに沿って配置されている。
【００２４】
また、搬送部３０は、紙幣の搬送路を形成するガイド部材３０ｃを有しており、当該ガイド部材３０ｃにより形成される搬送路に沿って紙幣が搬送されるようになっている。ここで、ガイド部材３０ｃは複数に分割された部品から構成されている。また、ガイド部材３０ｃの各部品はロック部５２（図４参照）により引出ユニット１４に電磁ロック等によりロックされるようになっている。ここで、搬送部３０の搬送路において紙幣の詰まりが発生した場合に、ロック部５２によるガイド部材３０ｃの各部品のロックが解除されると、引出ユニット１４を筐体１２の内部から手前側に引き出した後にガイド部材３０ｃの各部品を引出ユニット１４から取り出すことにより、搬送部３０の搬送路で詰まっている紙幣を当該搬送部３０から取り除くことができるようになる。
【００２５】
図２および図３に示すように、引出ユニット１４の前面には、紙幣受入部２０の紙幣受入口２０ａと、紙幣払出部２２の紙幣取出口２２ａとがそれぞれ設けられている。
【００２６】
紙幣受入部２０には繰出機構２１が設けられており、紙幣受入口２０ａに１枚あるいは複数枚の紙幣が投入されたことが検知されると繰出機構２１が駆動されることにより紙幣が接続搬送部３０ｂを介して周回搬送部３０ａ側へ１枚ずつ繰り出されるようになっている。
【００２７】
また、紙幣受入部２０には、紙幣受入口２０ａの開閉を行う（言い換えると、紙幣受入口２０ａを選択的に塞ぐ）シャッタ２０ｂが設けられている。また、紙幣受入口２０ａを塞いだ状態でシャッタ２０ｂを電磁ロック等によりロックするロック部５４（図４参照）が設けられている。ここで、ロック部５４によりシャッタ２０ｂがロックされている場合には、紙幣受入口２０ａがシャッタ２０ｂによって塞がれることにより操作者は当該紙幣受入口２０ａに紙幣を投入することができなくなる。一方、ロック部５４によるシャッタ２０ｂのロックが解除されると、シャッタ２０ｂを開くことができるようになるため操作者は紙幣受入口２０ａに紙幣を投入することができるようになる。
【００２８】
紙幣払出部２２は、各紙幣収納部３４、３６、３８から周回搬送部３０ａに繰り出された紙幣を紙幣取出口２２ａにより引出ユニット１４の外部へ放出するようになっている。ここで、紙幣払出部２２において、周回搬送部３０ａから接続搬送部３０ｂを介して当該紙幣払出部２２に送られた紙幣が積層状態で集積されるとともにこの集積された紙幣が一括して紙幣取出口２２ａに送られるようになっている。
【００２９】
より詳細には、紙幣釣銭機１０において紙幣の出金処理を行う際に、紙幣釣銭機１０から払い出されるべき紙幣が全て各紙幣収納部３４、３６、３８から紙幣払出部２２に送られるまでは各紙幣収納部３４、３６、３８から紙幣払出部２２に送られた紙幣は当該紙幣払出部２２に積層状態で集積されるようになっている。そして、紙幣釣銭機１０から払い出されるべき紙幣が全て各紙幣収納部３４、３６、３８から紙幣払出部２２に送られた後、紙幣払出部２２に集積された紙幣が一括して紙幣取出口２２ａに送られ、操作者はこの紙幣取出口２２ａから紙幣の束を抜き取ることができるようになる。また、紙幣取出口２２ａには、紙幣払出部２２から紙幣取出口２２ａに送られた紙幣を検知する残留検知センサ（図示せず）が設けられている。このような残留検知センサにより、紙幣払出部２２から紙幣取出口２２ａに送られた紙幣が操作者によって全て抜き取られたときにこのことが検知されるようになる。更に、紙幣払出部２２には、当該紙幣払出部２２内の紙幣の有無を検知するセンサ（図示せず）も設けられており、このセンサによって紙幣払出部２２内に紙幣が存在するか否かが検知されるようになっている。
【００３０】
また、紙幣払出部２２には、紙幣取出口２２ａの開閉を行う（言い換えると、紙幣取出口２２ａ）を選択的に塞ぐシャッタ２２ｂが設けられている。また、紙幣取出口２２ａを塞いだ状態でシャッタ２２ｂを電磁ロック等によりロックするロック部５５（図４参照）が設けられている。ここで、ロック部５５によりシャッタ２２ｂがロックされている場合には、紙幣取出口２２ａがシャッタ２２ｂによって塞がれることにより操作者は紙幣取出口２２ａから紙幣を取り出すことができなくなり、よって紙幣釣銭機１０のセキュリティ性を高めることができるようになる。一方、ロック部５５によるシャッタ２２ｂのロックが解除されると、シャッタ２２ｂが自動で開かれることにより操作者は紙幣取出口２２ａから紙幣を抜き取ることができるようになる。
【００３１】
出金リジェクト部２４は、出金処理時において各紙幣収納部３４、３６、３８から繰り出された紙幣のうち、重送や斜行等の搬送異常により識別部３２で識別することができない紙幣を出金リジェクト紙幣として収納するようになっている。また、本実施の形態の紙幣釣銭機１０では、入金処理時において紙幣受入部２０から紙幣釣銭機１０の筐体内に取り込まれた紙幣のうち、汚損等により識別部３２で識別することができない紙幣は入金リジェクト紙幣として紙幣払出部２２に返却されるようになっている。
【００３２】
また、出金リジェクト部２４には扉２４ａが設けられており、操作者が引出ユニット１４を筐体１２の内部から手前側に引き出した後、扉２４ａを開くことにより出金リジェクト部２４の内部にアクセスすることができるようになっている。また、扉２４ａを閉じた状態で電磁ロック等によりロックするロック部５６（図４参照）が設けられている。当該ロック部５６により扉２４ａが閉じた状態でロックされている場合には、引出ユニット１４を筐体１２の内部から手前側に引き出しても、出金リジェクト部２４の内部にアクセスすることができない。一方、ロック部５６による扉２４ａのロックが解除されると、操作者は引出ユニット１４を筐体１２の内部から手前側に引き出した後に扉２４ａを開いて出金リジェクト部２４から紙幣を取り出すことができるようになる。また、出金リジェクト部２４には、当該出金リジェクト部２４に存在する紙幣を検知する残留検知センサ２４ｂが設けられている。
【００３３】
引出ユニット１４の前面下部にはカセット装着部２６が設けられており、このカセット収容部に紙幣回収カセット２６ａが着脱可能に装着されるようになっている。紙幣回収カセット２６ａは引出ユニット１４の前面から手前側に引き出すことにより当該引出ユニット１４の外部に取り出すことができるようになっており、紙幣回収カセット２６ａを着脱する際に、引出ユニット１４を筐体１２から引き出す必要がないためセキュリティ性が高くなる。
【００３４】
各紙幣収納部３４、３６、３８は、識別部３２の識別結果に基づいて紙幣を金種別に収納するようになっている。具体的には、例えば紙幣収納部３４には千円札が収納され、紙幣収納部３６には二千円札および五千円札が混合状態で収納され、紙幣収納部３８には一万円札が収納されるようになっている。また、各紙幣収納部３４、３６、３８にはそれぞれ繰出機構３５、３７、３９が設けられており、これらの紙幣収納部３４、３６、３８に収納されている紙幣は各繰出機構３５、３７、３９により接続搬送部３０ｂを介して周回搬送部３０ａ側へ１枚ずつ繰り出されるようになっている。
【００３５】
また、各紙幣収納部３４、３６、３８には扉３４ａ、３６ａ、３８ａがそれぞれ設けられており、操作者が引出ユニット１４を筐体１２の内部から手前側に引き出した後、各扉３４ａ、３６ａ、３８ａを開くことにより各紙幣収納部３４、３６、３８の内部にアクセスすることができるようになっている。また、各扉３４ａ、３６ａ、３８ａを閉じた状態で電磁ロック等によりロックするロック部５７、５８、５９（図４参照）が各扉３４ａ、３６ａ、３８ａに対応して設けられている。各ロック部５７、５８、５９により各扉３４ａ、３６ａ、３８ａが閉じた状態でロックされている場合には、引出ユニット１４を筐体１２の内部から手前側に引き出しても、各紙幣収納部３４、３６、３８の内部にアクセスすることができない。一方、各ロック部５７、５８、５９による各扉３４ａ、３６ａ、３８ａのロックが解除されると、操作者は引出ユニット１４を筐体１２の内部から手前側に引き出した後に各扉３４ａ、３６ａ、３８ａを開いて各紙幣収納部３４、３６、３８に紙幣を収納したり各紙幣収納部３４、３６、３８から紙幣を取り出したりすることができるようになる。
【００３６】
次に、本実施の形態による紙幣釣銭機１０を備えた貨幣管理システムの制御系の構成について図４を用いて説明する。図４は、図１に示す貨幣管理システムにおける紙幣釣銭機１０、硬貨釣銭機７０およびＰＯＳレジスタ７２の制御系の構成を示す機能ブロック図である。
【００３７】
図４に示すように、紙幣釣銭機１０、硬貨釣銭機７０、ＰＯＳレジスタ７２にはそれぞれ紙幣釣銭機制御部６０、硬貨釣銭機制御部７０ａ、ＰＯＳ制御部７３がそれぞれ設けられている。ここで、紙幣釣銭機１０の紙幣釣銭機制御部６０および硬貨釣銭機７０の硬貨釣銭機制御部７０ａは互いに通信可能となるよう接続されている。また、硬貨釣銭機７０の硬貨釣銭機制御部７０ａおよびＰＯＳレジスタ７２のＰＯＳ制御部７３は互いに通信可能となるよう接続されている。
【００３８】
ＰＯＳレジスタ７２においてＰＯＳ制御部７３にはカードリーダ７４、印字部７５、表示部７６、操作部７７、記憶部７８およびインターフェース７９がそれぞれ接続されている。カードリーダ７４は、操作者のＩＤカードを読み取ることにより操作者ＩＤや操作者の権限等に関する情報を取得するようになっている。また、印字部７５は例えばプリンタから構成され、レシートに取引内容を印字したり、紙幣釣銭機１０や硬貨釣銭機７０の在高等の様々な情報を印字したりするようになっている。また、表示部７６は、紙幣釣銭機１０や硬貨釣銭機７０における紙幣や硬貨の処理状況や、紙幣釣銭機１０や硬貨釣銭機７０の在高等の情報を表示するようになっている。また、操作部７７は、操作者が操作することができるようになっており、ＰＯＳ制御部７３に対して様々な指令を与えることができるようになっている。また、記憶部７８は、紙幣釣銭機１０や硬貨釣銭機７０における紙幣や硬貨の処理状況や、紙幣釣銭機１０や硬貨釣銭機７０の在高等の情報を記憶するようになっている。また、ＰＯＳ制御部７３はインターフェース７９により硬貨釣銭機７０の硬貨釣銭機制御部７０ａに対して信号の送受信を行うようになっている。
【００３９】
また、硬貨釣銭機７０の硬貨釣銭機制御部７０ａは、当該硬貨釣銭機７０の各構成部材の制御を行うようになっている。なお、図４に示す機能ブロック図では、硬貨釣銭機制御部７０ａにより制御される硬貨釣銭機７０の各構成部材の図示を省略している。また、硬貨釣銭機制御部７０ａにはインターフェース７１が接続されており、当該硬貨釣銭機制御部７０ａはインターフェース７１によりＰＯＳレジスタ７２のＰＯＳ制御部７３や紙幣釣銭機１０の紙幣釣銭機制御部６０に対して信号の送受信を行うようになっている。また、図１に示すように、硬貨釣銭機７０の筐体の前部上面にはタッチパネル等の操作表示部７０ｂが設けられており、この操作表示部７０ｂは硬貨釣銭機制御部７０ａに接続されている。操作表示部７０ｂには、操作者が操作するための操作画面や、紙幣釣銭機１０、硬貨釣銭機７０および棒金収納装置８０の各々に収納されている貨幣の在高に係る情報が表示されるようになっている。また、このような操作表示部７０ｂにおいて操作者は操作画面における操作ボタンに指を触れることによって紙幣釣銭機制御部６０や硬貨釣銭機制御部７０ａに様々な指令を入力することができるようになっている。
【００４０】
また、紙幣釣銭機１０において、紙幣釣銭機制御部６０には、インターフェース６１、紙幣受入部２０に設けられた繰出機構２１、搬送部３０、識別部３２、各紙幣収納部３４、３６、３８に設けられた繰出機構３５、３７、３９、ならびに各ロック部５０、５２、５４、５５、５６、５７、５８、５９がそれぞれ接続されている。ここで、識別部３２による紙幣の識別結果に係る情報は紙幣釣銭機制御部６０に送られるようになっている。また、紙幣釣銭機制御部６０は、繰出機構２１、搬送部３０、各繰出機構３５、３７、３９、各ロック部５０、５２、５４、５５、５６、５７、５８、５９にそれぞれ指令を送ることによりこれらの構成部材の制御を行うようになっている。また、紙幣釣銭機制御部６０はインターフェース６１により硬貨釣銭機７０の硬貨釣銭機制御部７０ａに対して信号の送受信を行うようになっている。
【００４１】
また、図４に示すように、紙幣釣銭機制御部６０には、紙幣釣銭機１０の状態を検知する状態検知部４０が接続されている。状態検知部４０は、例えば、搬送部３０や各繰出機構２１、３５、３７、３９等における紙幣の詰まり等の異常を検知するようになっている。また、出金リジェクト部２４に出金リジェクト紙幣が存在することが残留検知センサ２４ｂにより検知された場合にも、出金リジェクト部２４に出金リジェクト紙幣が存在することが状態検知部４０により検知されるようになる。また、紙幣釣銭機制御部６０には、判定手段４４、認証手段４６および引出ユニット規制部４８がそれぞれ接続されている。判定手段４４は、状態検知部４０により検知された状態に基づいて、各ロック部５０、５２、５４、５５、５６、５７、５８、５９による各構成部材のロックのうち何れのロックを解除するかを判定するようになっている。また、認証手段４６は、カードリーダ７４により読み取られた操作者のＩＤカードの情報等に基づいて、操作者の権限を認証するようになっている。また、引出ユニット規制部４８は、少なくとも一つのロック部５２、５４、５５、５６、５７、５８、５９による各構成部材のロックが解除されているときに、筐体１２から引き出された引出ユニット１４が筐体１２の内部に戻されるのを物理的に防止するようになっている。これらの判定手段４４、認証手段４６および引出ユニット規制部４８の各機能の詳細については後述する。
【００４２】
次に、このような構成からなる紙幣釣銭機１０による入出金処理等の様々な処理内容について以下に説明する。なお、以下に示すような紙幣の処理方法は、紙幣釣銭機制御部６０が紙幣釣銭機１０の各構成部材を制御することにより行われるようになっている。
【００４３】
まず、紙幣釣銭機１０において入金処理が行われる際の動作について説明する。紙幣釣銭機制御部６０に入金処理の開始の指令が与えられると、ロック部５４によるシャッタ２０ｂのロックが解除され、操作者はシャッタ２０ｂを開いて紙幣受入口２０ａに紙幣を投入することができるようになる。紙幣受入口２０ａに紙幣が投入されると、紙幣受入部２０は、紙幣受入口２０ａに投入された入金紙幣を一括で取り込んで、接続搬送部３０ｂを介して周回搬送部３０ａに紙幣を１枚ずつ繰り出す。そして、周回搬送部３０ａに繰り出された紙幣は当該周回搬送部３０ａにより搬送され、この際に識別部３２により紙幣の識別が行われる。
【００４４】
識別部３２により識別が行われた紙幣のうち正常な紙幣であると判別された紙幣は、その金種に対応する各紙幣収納部３４、３６、３８に送られ、これらの紙幣収納部３４、３６、３８に収納される。具体的には、紙幣収納部３４には千円札が収納され、紙幣収納部３６には二千円札および五千円札が混合状態で収納され、紙幣収納部３８には一万円札が収納される。一方、識別部３２による識別結果により正常な紙幣ではないと判別された紙幣は入金リジェクト紙幣として搬送部３０により紙幣払出部２２に搬送され、この紙幣払出部２２に集積される。そして、紙幣受入口２０ａに投入された入金紙幣が全て各紙幣収納部３４、３６、３８または紙幣払出部２２に送られると、ロック部５５によるシャッタ２２ｂのロックが解除されることにより紙幣取出口２２ａに設けられたシャッタ２２ｂが開かれる。また、紙幣払出部２２に集積された入金リジェクト紙幣が紙幣取出口２２ａに送られる。このことにより、操作者は紙幣取出口２２ａから取り出して入金リジェクト紙幣を紙幣受入部２０の紙幣受入口２０ａに再投入することができるようになる。
【００４５】
次に、紙幣釣銭機１０において出金処理が行われる際の動作について以下に説明する。出金される紙幣の合計金額あるいは金種別の枚数等を含む出金処理の開始の指令が紙幣釣銭機制御部６０に入力されると、各紙幣収納部３４、３６、３８に収納されている紙幣が、各紙幣収納部３４、３６、３８に対応する各繰出機構３５、３７、３９により１枚ずつ接続搬送部３０ｂに繰り出され、この接続搬送部３０ｂから周回搬送部３０ａに紙幣が受け渡される。周回搬送部３０ａに送られた紙幣は当該周回搬送部３０ａで図３における時計回りの方向に少なくとも１周回るよう搬送され、この際に識別部３２により紙幣の金種、真偽、正損等の識別が行われる。識別部３２により識別が行われた紙幣のうち正常な紙幣であると判別された紙幣は紙幣払出部２２に搬送され、この紙幣払出部２２に集積される。一方、識別部３２による識別結果により正常な紙幣ではないと判別された紙幣（例えば、重送や斜行等の搬送異常の紙幣）は出金リジェクト紙幣として搬送部３０により出金リジェクト部２４に搬送され、この出金リジェクト部２４に集積される。なお、出金リジェクト部２４に集積された出金リジェクト紙幣は、管理者等の所定の権限を有する者が紙幣釣銭機１０の筐体１２から引出ユニット１４を手前側に引き出した後に扉２４ａを開けることによって取り出すことができるようになる。そして、出金されるべき紙幣が各紙幣収納部３４、３６、３８から紙幣払出部２２に送られた後、ロック部５５によるシャッタ２２ｂのロックが解除されることにより紙幣取出口２２ａに設けられたシャッタ２２ｂが開かれる。また、紙幣払出部２２に集積された紙幣が一括して紙幣取出口２２ａに送られる。このことにより、操作者は紙幣取出口２２ａから出金紙幣を取り出すことができるようになる。
【００４６】
また、本実施の形態では、状態検知部４０によって紙幣釣銭機１０に異常が発生していることが検知されると、判定手段４４は、状態検知部４０により検知された状態に基づいて、各ロック部５０、５２、５４、５５、５６、５７、５８、５９による各構成部材のロックのうち何れのロックを解除するかを判定する。また、紙幣釣銭機制御部６０は、判定手段４４による判定結果に基づいて、ロック部５０、５２、５４、５５、５６、５７、５８、５９のうち１または複数のロック部による構成部材のロックを解除させるよう各ロック部５０、５２、５４、５５、５６、５７、５８、５９を制御する。この際に、認証手段４６によって操作者の権限が認証されている場合には、判定手段４４は、状態検知部４０により検知された状態に加えて、認証手段４６により認証された操作者の権限も参酌して、各ロック部５０、５２、５４、５５、５６、５７、５８、５９による各構成部材のロックのうち何れのロックを解除するかを判定するようになる。また、判定手段４４による判定結果は、硬貨釣銭機７０の操作表示部７０ｂやＰＯＳレジスタ７２の表示部７６に表示されるようになる。このような動作の詳細について以下に説明する。
【００４７】
搬送部３０において紙幣の搬送異常（具体的には、紙幣の詰まり）が発生していることが状態検知部４０により検知されると、判定手段４４は、状態検知部４０により検知された状態に基づいて、ロック部５０による引出ユニット１４のロックおよびロック部５２による搬送部３０のガイド部材３０ｃの各部品のロックを解除すると判定する。そして、紙幣釣銭機制御部６０は、引出ユニット１４のロックおよび搬送部３０のガイド部材３０ｃの各部品のロックをそれぞれ解除するようロック部５０、５２を制御する。この場合には、操作者は引出ユニット１４を筐体１２の内部から手前側に引き出すことができるとともにガイド部材３０ｃの各部品を引出ユニット１４から取り出すことができるようになる。このことにより、操作者は、搬送部３０の搬送路で詰まっている紙幣を当該搬送部３０から取り除くことができるようになる。
【００４８】
また、紙幣受入部２０において繰出機構２１による筐体１２の内部への紙幣の繰出不良が発生していることが状態検知部４０により検知されると、判定手段４４は、状態検知部４０により検知された状態に基づいて、ロック部５４によるシャッタ２０ｂのロックを解除すると判定する。この場合には、ロック部５４によるシャッタ２０ｂのロックが解除されることにより、操作者はシャッタ２０ｂを開いて紙幣受入口２０ａから紙幣受入部２０の内部に手を入れることができるようになるため、繰出機構２１で詰まっている紙幣を筐体１２の外部に取り出すことができるようになる。
【００４９】
また、紙幣収納部３４、３６、３８の何れか（例えば、紙幣収納部３４）において繰出機構３５、３７、３９（ここでは、紙幣収納部３４に対応する繰出機構３５）による搬送部３０への紙幣の繰出不良が発生していることが状態検知部４０により検知されると、判定手段４４は、状態検知部４０により検知された状態に基づいて、ロック部５０による引出ユニット１４のロックおよびロック部５７による扉３４ａのロックを解除すると判定する。そして、紙幣釣銭機制御部６０は、引出ユニット１４のロックおよび扉３４ａのロックをそれぞれ解除するようロック部５０、５７を制御する。この場合には、操作者は引出ユニット１４を筐体１２の内部から手前側に引き出すことができるとともに扉３４ａを開いて紙幣収納部３４の内部にアクセスすることができるようになる。このことにより、操作者は紙幣収納部３４の内部に手を入れることができるようになるため、繰出機構３５で詰まっている紙幣を筐体１２の外部に取り出すことができるようになる。なお、紙幣収納部３６または紙幣収納部３８において繰出機構３５または繰出機構３７による搬送部３０への紙幣の繰出不良が発生していることが状態検知部４０により検知された場合にも同様の動作が行われるようになる。
【００５０】
また、各紙幣収納部３４、３６、３８に収納されている紙幣を回収する回収指令が紙幣釣銭機１０に与えられたときに、出金リジェクト部２４に出金リジェクト紙幣が存在することが残留検知センサ２４ｂにより検知され、このような残留検知センサ２４ｂの検知情報に基づいて出金リジェクト部２４に出金リジェクト紙幣が存在することが状態検知部４０により検知されると、判定手段４４は、状態検知部４０により検知された状態に基づいて、ロック部５０による引出ユニット１４のロックおよびロック部５６による扉２４ａのロックを解除すると判定する。そして、紙幣釣銭機制御部６０は、引出ユニット１４のロックおよび扉２４ａのロックをそれぞれ解除するようロック部５０、５６を制御する。この場合には、操作者は引出ユニット１４を筐体１２の内部から手前側に引き出した後に扉２４ａを開いて出金リジェクト部２４から出金リジェクト紙幣を取り出すことができるようになる。なお、回収指令が紙幣釣銭機１０に与えられると、各紙幣収納部３４、３６、３８に収納されている紙幣はこれらの紙幣収納部３４、３６、３８から繰り出されて搬送部３０によりカセット装着部２６に装着されている紙幣回収カセット２６ａに送られ、この紙幣回収カセット２６ａに収納されるようになる。このようにして、紙幣釣銭機１０から各紙幣収納部３４、３６、３８に収納されている紙幣および出金リジェクト部２４に収納されている出金リジェクト紙幣をそれぞれ回収することができるようになる。
【００５１】
なお、本実施の形態では、紙幣釣銭機１０において発生した紙幣の詰まり等の異常の解消は、当該紙幣釣銭機１０が設置される店舗の店員および管理者の両方が行うことができるようになっている。一方、各紙幣収納部３４、３６、３８に収納されている紙幣の回収は、店舗の管理者のみが行うことができるようになっている。このため、回収指令が紙幣釣銭機１０に与えられたときに、出金リジェクト部２４に出金リジェクト紙幣が存在することが残留検知センサ２４ｂにより検知され、このような残留検知センサ２４ｂの検知情報に基づいて出金リジェクト部２４に出金リジェクト紙幣が存在することが状態検知部４０により検知された場合に、認証手段４６により認証された操作者の権限が管理者であるときにおいてのみ、判定手段４４は、ロック部５０による引出ユニット１４のロックおよびロック部５６による扉２４ａのロックを解除すると判定する。一方、回収指令が紙幣釣銭機１０に与えられたときに、出金リジェクト部２４に出金リジェクト紙幣が存在することが状態検知部４０により検知された場合に、認証手段４６により認証された操作者の権限が店員であるときには、判定手段４４は、何れのロック部によるロックも解除しないと判定する。
【００５２】
また、本実施の形態では、上述した判定手段４４による判定結果は、硬貨釣銭機７０の操作表示部７０ｂやＰＯＳレジスタ７２の表示部７６に表示されるようになる。また、この際に、紙幣釣銭機１０において紙幣の詰まり等の異常が発生したことが状態検知部４０により検知された場合には、異常の解消の方法を示すガイダンス画面が硬貨釣銭機７０の操作表示部７０ｂやＰＯＳレジスタ７２の表示部７６に表示されるようになっていてもよい。このことにより、操作者は紙幣釣銭機１０において発生した紙幣の詰まり等の異常を迅速かつ確実に解消することができるようになる。
【００５３】
また、本実施の形態では、少なくとも一つのロック部５２、５４、５５、５６、５７、５８、５９による各構成部材のロックが解除されているときに、引出ユニット規制部４８によって、筐体１２から引き出された引出ユニット１４を筐体１２の内部に戻すことができないようになっている。このことにより、ロック部５２、５４、５５、５６、５７、５８、５９による各構成部材のロックが解除された後に、操作者が各構成部材を再ロックすることを忘れてしまい、ロック部５２、５４、５５、５６、５７、５８、５９により各構成部材を再ロックしないで引出ユニット１４を筐体１２の内部に戻してしまうことを防止することができる。
【００５４】
また、本実施の形態では、ロック部５０による引出ユニット１４のロックが解除された後、当該引出ユニット１４が筐体１２の内部から手前側に引き出されたときに、他のロック部（例えば、ロック部５６、５７、５８、５９）による構成部材（具体的には、扉２４ａ、３４ａ、３６ａ、３８ａ）のロックが解除されてこの構成部材が自動で開くようになっていてもよい。この場合には、操作者は引出ユニット１４を筐体１２の内部から手前側に引き出したときにどの構成部材から紙幣を取り出すかを一目で判断することができるようになる。
【００５５】
以上のような構成からなる本実施の形態の紙幣釣銭機１０（貨幣処理装置）およびこのような紙幣釣銭機１０による紙幣処理方法（貨幣処理方法）によれば、紙幣釣銭機１０の状態を検知する状態検知部４０と、状態検知部４０により検知された状態に基づいて、各ロック部５０、５２、５４、５５、５６、５７、５８、５９による構成部材のロックのうち何れのロックを解除するかを判定する判定手段４４と、判定手段４４による判定結果に基づいて、ロック部５０、５２、５４、５５、５６、５７、５８、５９のうち一または複数のロック部による構成部材のロックを解除させるよう各ロック部５０、５２、５４、５５、５６、５７、５８、５９を制御する紙幣釣銭機制御部６０とがそれぞれ設けられている。そして、紙幣釣銭機１０の状態を状態検知部４０により検知し、状態検知部４０により検知された状態に基づいて、各ロック部５０、５２、５４、５５、５６、５７、５８、５９による構成部材のロックのうち何れのロックを解除するかを判定することにより、操作者が操作すべき構成部材（例えば、異常が発生している構成部材）のロックのみを自動で解除することができるため、操作者が操作に慣れていない場合でも、違算が発生したり各構成部材が破損してしまったりすることを防止することができる。
【００５６】
より詳細に説明すると、従来の紙幣釣銭機では、ＵＳＢ等に記憶された電子識別情報を読み取ることで、権限に応じて各構成部材の電磁ロックを解除して筐体から引出ユニットを引き出せるようにしたり、紙幣回収カセットの電磁ロックを解除して紙幣回収カセットを取り出せたりするようなっていた。しかしながら、このような従来の紙幣釣銭機では、紙幣釣銭機の状態に応じて電磁ロックを解除するものではないため、店員等の操作者が紙幣釣銭機の操作に慣れてない場合には、開閉する必要のない箇所を開閉することで違算が生じたり、あるいは開閉しない箇所を無理にこじ開けることで装置が破損したりする等の問題が生じるおそれがあった。これに対し、本実施の形態の紙幣釣銭機１０では、紙幣釣銭機１０の状態を状態検知部４０により検知し、状態検知部４０により検知された状態に基づいて、各ロック部５０、５２、５４、５５、５６、５７、５８、５９による構成部材のロックのうち何れのロックを解除するかを判定することにより、操作者が操作すべき構成部材（例えば、異常が発生している構成部材）のロックのみを自動で解除することができるため、上述した従来の紙幣釣銭機の問題を解消することができる。
【００５７】
また、本実施の形態の紙幣釣銭機１０においては、上述したように、操作者の権限を認証するための認証手段４６が設けられており、判定手段４４は、状態検知部４０により検知された状態に加えて、認証手段４６により認証された操作者の権限も参酌して、各ロック部５０、５２、５４、５５、５６、５７、５８、５９による構成部材のロックのうち何れのロックを解除するかを判定するようになっている。この場合には、認証手段４６により認証された操作者の権限に応じて所定の権限を有する操作者が操作すべき構成部材のロックのみを自動で解除することができるため、紙幣釣銭機１０で発生した紙幣の詰まり等の異常の解消や当該紙幣釣銭機１０からの紙幣の回収処理を適切な権限を有する操作者が行うことができるようになる。
【００５８】
また、本実施の形態の紙幣釣銭機１０においては、上述したように、判定手段４４による判定結果を表示する表示部（具体的には、硬貨釣銭機７０の操作表示部７０ｂやＰＯＳレジスタ７２の表示部７６）が設けられている。この場合には、操作者は、どの構成部材のロックが解除されたかを、表示部に表示される判定結果により認識することができるようになるため、紙幣釣銭機１０において発生した紙幣の詰まり等の異常を迅速かつ確実に解消することができるようになる。
【００５９】
また、本実施の形態の紙幣釣銭機１０においては、上述したように、複数のロック部５０、５２、５４、５５、５６、５７、５８、５９のうち少なくとも一つのロック部（具体的には、ロック部５２）は、貨幣を搬送する搬送部３０に設けられたガイド部材３０ｃの各部品をロックするようになっており、搬送部３０において紙幣の搬送異常が発生したことが状態検知部４０により検知されたときに、判定手段４４はロック部５２による当該搬送部３０に設けられたガイド部材３０ｃの各部品のロックを解除すると判定するようになっている。
【００６０】
また、本実施の形態の紙幣釣銭機１０においては、上述したように、複数のロック部５０、５２、５４、５５、５６、５７、５８、５９のうち少なくとも一つのロック部（例えば、ロック部５４）は、筐体１２の内部に紙幣を投入するための投入部（具体的には、紙幣受入部２０）における投入口（具体的には、紙幣受入口２０ａ）を開閉するシャッタ２０ｂをロックするようになっており、投入部において筐体１２の内部への貨幣の繰出不良が発生したことが状態検知部４０により検知されたときに、判定手段４４はロック部５４による当該投入部に設けられたシャッタ２０ｂのロックを解除すると判定するようになっている。
【００６１】
また、本実施の形態の紙幣釣銭機１０においては、上述したように、複数のロック部５０、５２、５４、５５、５６、５７、５８、５９のうち少なくとも一つのロック部（例えば、ロック部５６）は、貨幣を収納する収納庫（具体的には、出金リジェクト部２４）の扉２４ａをロックするようになっており、紙幣の回収処理が行われる際に収納庫に紙幣が存在することが状態検知部４０により検知されたときに、判定手段４４は出金リジェクト部２４に設けられた扉２４ａのロックを解除すると判定するようになっている。
【００６２】
また、本実施の形態の紙幣釣銭機１０においては、上述したように、各構成部材が設けられた引出ユニット１４が筐体１２から引き出し可能となっており、少なくとも一つのロック部５２、５４、５５、５６、５７、５８、５９による構成部材のロックが解除されているときに、筐体１２から引き出された引出ユニット１４が筐体１２の内部に戻されるのを防止する引出ユニット規制部４８が設けられている。この場合には、ロック部５２、５４、５５、５６、５７、５８、５９による各構成部材のロックが解除された後に、操作者が各構成部材を再ロックすることを忘れてしまい、ロック部５２、５４、５５、５６、５７、５８、５９により各構成部材を再ロックしないで引出ユニット１４を筐体１２の内部に戻してしまうことを防止することができる。
【００６３】
なお、本発明による貨幣処理装置や貨幣処理方法は、上述したような態様に限定されることはなく、様々な変更を加えることができる。
【００６４】
例えば、本発明に係る貨幣処理装置は、紙幣釣銭機１０および硬貨釣銭機７０を組み合わせたものに限定されることはない。本発明に係る貨幣処理装置として、紙幣釣銭機１０が単体で用いられてもよい。
【００６５】
また、上記の説明では、紙幣釣銭機１０において、状態検知部４０により検知された紙幣釣銭機１０の状態に基づいて、各ロック部５０、５２、５４、５５、５６、５７、５８、５９による構成部材のロックを解除する方法について述べたが、硬貨釣銭機７０にも本発明の原理が適用されるようになっていてもよい。より詳細には、硬貨釣銭機７０において、複数の構成部材に対応してロック部が複数設けられており、各ロック部は対応する構成部材のロックを行うようになっている。また、硬貨釣銭機７０の状態（具体的には、硬貨釣銭機７０の各構成部材において硬貨の詰まり等の異常が発生しているか否か、等）を検知する状態検知部が当該硬貨釣銭機７０に設けられている。また、硬貨釣銭機７０には、状態検知部により検知された状態に基づいて、各ロック部による構成部材のロックのうち何れかのロックを解除するかを判定する判定手段が設けられている。そして、硬貨釣銭機７０の硬貨釣銭機制御部７０ａは、判定手段による判定結果に基づいて、一または複数のロック部による構成部材のロックを解除させるよう各ロック部を制御する。このような硬貨釣銭機７０でも、上述した紙幣釣銭機１０と同様に、硬貨釣銭機７０の状態を状態検知部により検知し、状態検知部により検知された状態に基づいて、各ロック部による構成部材のロックのうち何れのロックを解除するかを判定することにより、操作者が操作すべき構成部材（例えば、異常が発生している構成部材）のロックのみを自動で解除することができるため、操作者が操作に慣れていない場合でも、違算が発生したり各構成部材が破損してしまったりすることを防止することができる。
【００６６】
なお、本発明の原理が硬貨釣銭機７０に適用される場合には、本発明に係る貨幣処理装置は、紙幣釣銭機１０および硬貨釣銭機７０を組み合わせたものに限定されることはない。本発明に係る貨幣処理装置として、硬貨釣銭機７０が単体で用いられてもよい。
【符号の説明】
【００６７】
１０    紙幣釣銭機
１２    筐体
１４    引出ユニット
１６    引出レール
２０    紙幣受入部
２０ａ  紙幣受入口
２０ｂ  シャッタ
２１    繰出機構
２２    紙幣払出部
２２ａ  紙幣取出口
２２ｂ  シャッタ
２４    出金リジェクト部
２４ａ  扉
２４ｂ  残留検知センサ
２６    カセット装着部
２６ａ  紙幣回収カセット
３０    搬送部
３０ａ  周回搬送部
３０ｂ  接続搬送部
３０ｃ  ガイド部材
３２    識別部
３４、３６、３８  紙幣収納部
３４ａ、３６ａ、３８ａ  扉
３５、３７、３９  繰出機構
４０    状態検知部
４４    判定手段
４６    認証手段
４８    引出ユニット規制部
５０、５２、５４、５５、５６、５７、５８、５９  ロック部
６０    紙幣釣銭機制御部
６１    インターフェース
７０    硬貨釣銭機
７０ａ  硬貨釣銭機制御部
７０ｂ  操作表示部
７１    インターフェース
７２    ＰＯＳレジスタ
７３    ＰＯＳ制御部
７４    カードリーダ
７５    印字部
７６    表示部
７７    操作部
７８    記憶部
７９    インターフェース
８０    棒金収納装置
【図１】
0006726002.tif 000002
【図２】
0006726002.tif 000003
【図３】
0006726002.tif 000004
【図４】
0006726002.tif 000005